(57)【要約】【課題】  ディスク媒体の読み込みおよびリトライにかかる時間を短縮できるディスク再生装置を提供する。【解決手段】  １回目のローディングでディスクの読み込みができない場合、リトライしてディスクの種別を判別する際に、ユーザーはあらかじめ、判別するディスク媒体の種類と順番を設定する決め付け方式か、または、ディスク媒体の種類別の再生回数の履歴データに基づいてディスク媒体を判別する順番を多いほうから優先的に自動設定する履歴データ方式のどちらかを選択する。履歴データ方式は加算方式と演算方式のどちらかを選択できる。履歴データは表示して確認することができる。ユーザーは判別方式の選択と各設定により読み込み処理時間のより短い方を選択できる。【選択図】    図１
2006155738.tif 000002
【特許請求の範囲】
【請求項１】
複数のメディアタイプのディスク媒体を再生可能なディスク再生装置において、１回目のローディングでディスクの読み込みができない場合、リトライしてディスク媒体の種別を判別する際に、ディスク媒体判別優先順位設定方式が複数ある中からユーザーがあらかじめ選択した方式に基づいて決められた優先順位の順番にしたがい、読み込めるまで自動的にディスクローディングをおこなうことを特徴とするディスク再生装置。
【請求項２】
ディスク媒体判別優先順位設定方式が、１つはリトライ時に判別動作を実施するディスク媒体の種類と順番をあらかじめユーザーが設定しておく決め付け方式と、１つは履歴データに基づいて再生回数の多いディスク媒体から優先的に順番が自動設定される履歴データ方式と、このどちらかを選択可能であることを特徴とする請求項１記載のディスク再生装置。
【請求項３】
履歴データ方式における履歴データが、判別されたディスクの種別の履歴を加算して、履歴データに重み付けをおこなった加算方式によるデータであることを特徴とする請求項２記載のディスク再生装置。
【請求項４】
履歴データ方式における履歴データが、判別されたディスクの種別の履歴を加算しそれ以外の判別されなかったディスクの種別の履歴から減算することで、履歴データに重み付けをおこなった演算方式によるデータであることを特徴とする請求項２記載のディスク再生装置。
【請求項５】
履歴データを加算方式と演算方式のどちらにするか選択可能であることを特徴とする請求項２〜４の何れか1項に記載のディスク再生装置。
【請求項６】
ユーザーが履歴データを呼び出してディスク媒体の履歴を確認できることを特徴とする請求項２〜５の何れか1項に記載のディスク再生装置。
【請求項７】
ユーザーがディスク媒体の履歴データを呼び出して確認し、その履歴結果に基づいて、最適なディスク媒体判別優先順位設定方式の選択、あるいは、決め付け方式におけるディスク媒体の種類と優先順位を設定、あるいは、履歴データ加算方式と履歴データ演算方式の設定ができることを特徴とする請求項２〜６の何れか1項に記載のディスク再生装置。
【発明の詳細な説明】
【技術分野】
【０００１】
この発明は、複数の種類のディスクを再生可能なディスク再生装置において、ディスクを１回目のローディング動作で読み込めない場合に、リトライ動作によりディスク媒体の種別を判別し読み込み再生させることのできるディスク再生装置に関するものである。
【背景技術】
【０００２】
従来のリトライ可能なディスク再生装置には、たとえば、特許文献１がある。ディスク判別精度および判定速度の向上を図りディスク挿入後にディスク指定を確認、さらに、１回目のディスク判別で再生できない場合、過去の再生履歴に基づきディスクの種別を順次選択し、再生開始までの時間を短縮する。再生履歴は加算方式で、データ更新を繰り返すというものである。
【０００３】
【特許文献１】特開２００１−４３６０９号公報
【発明の開示】
【発明が解決しようとする課題】
【０００４】
上記従来の技術にはいくつかの問題点があった。
【０００５】
まず、ディスクの種別を判別する優先順位が加算方式の再生履歴による場合、時期的に偏ったディスク媒体の使用をおこなうと、ユーザーが所望しているこれまで使用頻度が低かった種類のディスク判別が優先しておこなわれる可能性は低くなり、その分時間がかかった。例をあげると、１年前にディスク媒体の内ＤＶＤ１層を多数使用したことにより、ＤＶＤ１層の履歴データがかなり加算された状態で、最近になりＤＶＤ２層を使用しだした場合では、ＤＶＤ２層の履歴データ＞ＤＶＤ１層の履歴データとなるまではＤＶＤ１層の判別が優先されてしまうことになる。
【０００６】
また、ディスクの種別を判別する優先順位が履歴データのみで決定される場合、ユーザーの嗜好の変化に臨機応変に対応することができない。
【０００７】
また、ディスク挿入の段階まで待ってディスク判別の優先順位を決定しているため、読み込みに時間がかかった。ディスク挿入後、ディスク検索をおこない、その後に適切なディスク媒体の種別を選択して読み込み動作に入っていた。
【０００８】
本発明は、上記のような問題点に鑑みてなされたものであり、ディスクの種類を判別する速度を上げ、ユーザーの嗜好の変化にすばやく対応でき、ディスク判別の優先順位の決定に時間のかからないディスク再生装置を提供することを目的とする。
【課題を解決するための手段】
【０００９】
請求項１に係る本発明のディスク再生装置は、複数のメディアタイプのディスク媒体を再生可能なディスク再生装置において、１回目のローディングでディスクの読み込みができない場合、リトライしてディスク媒体の種別を判別する際に、ディスク媒体判別優先順位設定方式が複数ある中からユーザーがあらかじめ選択した方式に基づいて決められた優先順位の順番にしたがい、読み込めるまで自動的にディスクローディングをおこなうことを特徴とする。
【００１０】
請求項２に係る本発明のディスク再生装置は、請求項１記載のディスク再生装置において、ディスク媒体判別優先順位設定方式が、１つはリトライ時に判別動作を実施するディスク媒体の種類と順番をあらかじめユーザーが設定しておく決め付け方式と、１つは履歴データに基づいて再生回数の多いディスク媒体から優先的に順番が自動設定される履歴データ方式と、このどちらかを選択可能であることを特徴とする。
【００１１】
請求項３に係る本発明のディスク再生装置は、請求項２記載のディスク再生装置において、履歴データ方式における履歴データが、判別されたディスクの種別の履歴を加算して、履歴データに重み付けをおこなった加算方式によるデータであることを特徴とする。
【００１２】
請求項４に係る本発明のディスク再生装置は、請求項２記載のディスク再生装置において、履歴データ方式における履歴データが、判別されたディスクの種別の履歴を加算しそれ以外の判別されなかったディスクの種別の履歴から減算することで、履歴データに重み付けをおこなった演算方式によるデータであることを特徴とする。
【００１３】
請求項５に係る本発明のディスク再生装置は、請求項２〜４の何れか1項に記載のディスク再生装置において、履歴データを加算方式と演算方式のどちらにするか選択可能であることを特徴とする。
【００１４】
請求項６に係る本発明のディスク再生装置は、請求項２〜５の何れか1項に記載のディスク再生装置において、ユーザーが履歴データを呼び出してディスク媒体の履歴を確認できることを特徴とする。
【００１５】
請求項７に係る本発明のディスク再生装置は、請求項２〜６の何れか1項に記載のディスク再生装置において、ユーザーがディスク媒体の履歴データを呼び出して確認し、その履歴結果に基づいて、最適なディスク媒体判別優先順位設定方式の選択、あるいは、決め付け方式におけるディスク媒体の種類と優先順位を設定、あるいは、履歴データ加算方式と履歴データ演算方式の設定ができることを特徴とする。
【発明の効果】
【００１６】
再生しようと挿入されたディスクが粗悪ディスクで１回目のローディングでは読み込めなかった場合の、リトライ時の判別手段が任意に設定可能である。リトライ時にディスクの種別を判別する優先順位の設定方式をあらかじめユーザーが設定できるので、ディスクを挿入してから順位を判断する必要がないため、判別処理にかかる時間を短縮できる。ディスク種別の判別方式は、ユーザーがディスク媒体の種類と判別する順位を任意に設定できる決め付け方式と、履歴データに基づき再生頻度の高い順番にディスク媒体を判別する履歴データ方式の、２つから選択するとこができ、さらに、履歴データ方式を加算方式と演算方式のどちらかを選択でき、ユーザーの嗜好や状況に臨機応変に対応できるため、適切な設定をおこなうことで効率よく判別することができる。ディスク媒体を判別する優先順位を設定する方式を、決め付け方式と履歴データ方式のどちらかをあらかじめユーザーが選択することにより、ディスク表面検出／１層，２層検出／ＣＤ，ＤＶＤ検出等、従来おこなわれていた工程が一部不要となるため、読み込み速度が速くなる。
【００１７】
特に決め付け方式によれば、ユーザーがリトライ時のディスク媒体の種類と順位を決め付けることによって、ユーザーが認識している範囲において使用頻度の高いディスク媒体の優先順位を上げ使用頻度の低いディスク媒体の優先順位を下げることが可能となり、リトライ時における判別処理にユーザーの認識を反映させることができる。
【００１８】
特に履歴データ方式によれば、過去の再生回数履歴データに基づいてリトライ時のディスク媒体の優先順位を自動設定することにより、ユーザーに認識があるなしに関わらず、自動的に過去の再生回数の多いディスク媒体から優先的にリトライすることができる。履歴データにはディスク媒体の種類ごとに過去の判別実績が集計される。履歴データに重み付けをすることによって再生頻度の大小によるばらつきを反映させ、履歴データの整理が可能となる。履歴データが整理されることで、再生回数の少ないディスク媒体の不要な履歴データを、履歴データから削除するか、または、リトライ時の対象媒体から外すことが可能となり、このことは、履歴データの容量削減および、対象媒体の絞込みによるリトライ時間の短縮につながる。
【００１９】
履歴データを呼び出して確認可能とすることにより、ユーザーが履歴データを見ることができ、履歴データをユーザーの決め付け方式におけるディスク媒体の絞込みと優先順位の設定の判断に反映させることが可能となる。
【００２０】
判別方式は、決め付け方式と履歴データ加算方式と履歴データ演算方式の３つの選択肢がある。ユーザーは、履歴データを確認し、状況に応じた最適な方式を選択し、各種の設定をおこなうことにより、より処理時間の短い方を選択することができる。運用しだいで差はあるが、あらゆるユーザーがディスク再生装置の読み取りにかかる時間の短縮を図ることができる。
【発明を実施するための最良の形態】
【００２１】
以下、本発明に係るディスク再生装置を実施するための最良の形態について図を参照しながら説明するが、本発明は本実施の形態にのみ限定されるべきものではない。
【００２２】
図１に示すブロック図は本発明の機能構成の一例をあらわしている。ピック２でディスク１の判別と再生をおこなう。マイコン３の内部にある履歴データ記憶部と履歴データ演算部と優先順位記憶部が、それぞれ制御部と指示部にて制御／指示される。ピック制御部は抽象的名称にすぎず、実際はマイコンにてピックを直接制御することも可能である。履歴データ記憶部のデータは、ユーザーの指示でモニター４に画面表示が可能である。
【００２３】
ディスク媒体の１回目の読み込み動作は図２に例示したごとくおこなわれる。１回目で読み込みができない場合、２回目以降の読み込みは、図３に例示するＤＶＤメディアの判別処理か、または、図４に例示するＣＤメディアの判別処理に移行される。この２回目以降のリトライ処理の判別対象となるメディアの種類と判別する順序は、本発明の方式によって設定される。
【００２４】
ディスク判別におけるリトライ動作を、決め付け方式と履歴データ方式のどちらかをあらかじめ選択する（図９参照）。決め付け方式は、リトライ時のディスク判別の優先順位をユーザーがあらかじめ設定しておく。履歴データ方式は、リトライ時のディスク判別の優先順位を履歴データの重み（再生された回数の多さ）を利用して決める。ディスクのフォーマットの種別には、ＤＶＤ１層、ＤＶＤ２層、ＤＶＤ−Ｒ、ＤＶＤ−ＲＷ、ＣＤ、ＣＤ−Ｒ、ＣＤ−ＲＷ、ＳＡＣＤ、ＤＶＤ−ＲＡＭ、その他ディスク形態の記録媒体の全てが含まれている。
【００２５】
決め付け方式では、ユーザーはメニュー画面よりリトライ時のディスク判別手段に優先順位を設定可能とする（図１０参照）。ユーザーがリトライ時に優先して使用したいディスク媒体を上位に設定する。１回目のディスク媒体判別動作で判別できなかった場合、あらかじめユーザーが設定したディスク媒体の優先順位に従ってディスク判別をリトライする（図５参照）。図１０に示す設定画面の場合は、優先順位は１から５までの複数を設定可能とし、特に希望がない場合は優先順位１を設定するだけでもよい。ディスクの種類はあらかじめデータベース化されている。
【００２６】
履歴データ方式は、過去の再生回数の重みから判断し、リトライ時に判別するディスク種別の優先順位が決定される（図６参照）。ユーザーはメニュー画面より、ディスクを判別し再生した履歴結果を単純に加算する加算方式と、履歴結果に基づいて加算／減算の演算をおこなう演算方式のどちらかを選択する（図１１参照）。履歴データ方式には加算方式と演算方式の２種類の設定があるが、どちらも、リトライ時に再生回数の多いディスク媒体から優先してディスクローディングをおこなう点は同じである。図８は履歴データを作成する手順をあらわし、ＤＶＤ１層ディスク（ＤＶＤＳＬ）を再生させた履歴データを対象とした場合の例である。図８の最小値とは履歴データの回数が０という意味であり、０以下の場合も最小値として０のままで処理される。
【００２７】
履歴データ加算方式の場合、ディスク媒体が選択されるたびに履歴データが１加算され、選択された回数が合計で多いディスク媒体をリトライ時の優先ディスクとする。ディスク媒体の種別が判別されて読み込み再生されたディスク媒体の履歴を１つずつ加算していき、上限はない。あるいは、メモリの容量を考慮して最大値を設定して、ある一定の回数でリセットする設定としてもよい。なお、再生回数が０の状態が長く続いているディスク媒体を履歴データから削除して履歴データの容量を少なくし、履歴データの再生回数を確認する対象から外し、リトライ時にデータ処理するディスク媒体の種類を減らすことで、リトライ動作の時間を短縮することも可能である。
【００２８】
履歴データ演算方式の場合、ディスク媒体が判別し再生されるたびにそのディスク媒体の履歴データは１加算されるが、それ以外のディスク媒体の履歴データは１減算される（図７参照）。演算処理はメニュー画面の初期値設定ＯＮ／ＯＦＦにより、０回から演算を開始する方法と、任意の数値（例えば２００）を設定してそこから演算を開始する方法のどちらかを選択可能とすることができる（図１２参照）。ユーザーが初期値を２００と設定すると、その時点で全てのディスク媒体の履歴データを２００に初期化することが可能である。初期値設定をおこなわない場合、０回から演算し、ディスク再生がおこなわれたディスク媒体に対し１加算し、それ以外のディスク媒体は、再生回数が０回以下の場合は履歴データを０のままとし、再生回数が１以上のディスク媒体のみ１減算する方法をとることができる（図７参照）。初期値設定の有無に関係なく、履歴データの最大値、最小値を任意に設定可能とし、最大値最小値を超えての演算はおこなわれない設定とする。なお、初期値設定をおこなった場合、任意の数値を下回っていたディスク媒体を履歴データから削除して履歴データの容量を少なくし、履歴データの再生回数を確認する対象から外し、リトライ時にデータ処理するディスク媒体の種類を減らすことで、リトライ動作の時間を短縮することも可能である。
【００２９】
図１１の設定画面で過去の履歴データ参照を選択すると、図１３の履歴データ参照画面が表示される。履歴データは全て履歴データ記憶部のメモリに記憶されている。図１３は履歴データ演算方式で初期値を２００に設定して一定時間経過した状態の履歴データの一例である。
【図面の簡単な説明】
【００３０】
【図１】本発明のディスク再生装置のブロック図の一例をあらわす。
【図２】１回目のディスク媒体判別手順の一例をあらわすフローチャート。
【図３】図２のフローチャートのつづき。
【図４】図２のフローチャートのつづき。
【図５】決め付け方式によるリトライの一例をあらわすフローチャート。
【図６】履歴データ方式によるリトライの一例をあらわすフローチャート。
【図７】演算方式による重み付けの一例をあらわす履歴データ。
【図８】履歴データ作成手順の一例をあらわすフローチャート。
【図９】ディスク判別方式設定画面の一例をあらわす。
【図１０】ユーザー設定画面の一例をあらわす。
【図１１】履歴データ設定画面の一例をあらわす。
【図１２】履歴データ演算方式設定画面の一例をあらわす。
【図１３】過去の履歴データ参照画面の一例をあらわす。
【符号の説明】
【００３１】
１  ディスク
２  ピック
３  マイコン
４  モニター
【図１】
2006155738.tif 000003
【図２】
2006155738.tif 000004
【図３】
2006155738.tif 000005
【図４】
2006155738.tif 000006
【図５】
2006155738.tif 000007
【図６】
2006155738.tif 000008
【図７】
2006155738.tif 000009
【図８】
2006155738.tif 000010
【図９】
2006155738.tif 000011
【図１０】
2006155738.tif 000012
【図１１】
2006155738.tif 000013
【図１２】
2006155738.tif 000014
【図１３】
2006155738.tif 000015